(57)【特許請求の範囲】
【請求項１】
少なくとも２以上のセルが直列接続されるとともに、そのうちの２以上のセルは、互いに異なる色素、又は、同じ色素でかつ互いに異なる濃淡を有する、色素増感型太陽電池セルの接続方法において、
全てのセルの動作電流のうち、動作電流が最低のセルを基準に、各セルの比率を求め(Ｓ２)、
前記求めた比率が閾値以上である比率を有するセルを選択し(Ｓ３)、
前記選択したセルを同じ面積の複数個の分割セルに分割して、分割セル同士を直列接続する(Ｓ４)、
色素増感型太陽電池セルの接続方法。
【請求項２】
前記閾値以上である比率を有するセルを選択するとき、前記閾値は２である、
請求項１に記載の色素増感型太陽電池セルの接続方法。
【請求項３】
前記閾値以上である比率を有するセルを選択するとき(Ｓ３)、前記閾値である２ｎ／（ｎ＋１）より大きい比率を有するセルを選択し、
前記分割セル同士を直列接続するとき(Ｓ４)、前記選択したセルをｎ個の分割セルに分割して、分割セル同士を直列接続する、
請求項１に記載の色素増感型太陽電池セルの接続方法。
【請求項４】
前記分割セル同士を直列接続するために(Ｓ４)、前記選択したセルをｎ個の分割セルに分割して、前記分割セル同士を直列接続するとき、
前記選択したセルについて、分割前のセルの出力Ｐより分割後のｎ個の分割セルの合計出力Ｐ’が大きい場合、分割前後のセルの出力差ΔＰが最大となるときの整数をｎの値として分割する、
請求項３に記載の色素増感型太陽電池セルの接続方法。
【請求項５】
前記動作電流が最低のセルを基準に、各セルとの比率を求めるとき(Ｓ２)、最低の前記動作電流のセルに代えて、最低から２番目に低い前記動作電流のセルを前記基準に、各セルとの比率を求める、
請求項１に記載の色素増感型太陽電池セルの接続方法。
【請求項６】
前記分割セル同士を直列接続するとき(Ｓ４)、各セルが同じ面積である、
請求項１〜５のいずれか１つに記載の色素増感型太陽電池セルの接続方法。
【請求項７】
前記分割セル同士を直列接続するとき(Ｓ４)、同じ形状である、
請求項１〜６のいずれか１つに記載の色素増感型太陽電池セルの接続方法。
【発明の詳細な説明】
【技術分野】
【０００１】
本発明は、少なくとも２以上のセルが直列接続されるとともに、そのうちの２以上のセルは、互いに異なる色素、又は、同じ色素でかつ互いに異なる濃淡を有して構成された色素増感型太陽電池及び色素増感型太陽電池セルの接続方法に関する。
【背景技術】
【０００２】
近年、デザイン性の観点から、色素増感型太陽電池の利用が進められている。色素増感型太陽電池の例としては、特許文献１及び特許文献２に開示されている。
【先行技術文献】
【特許文献】
【０００３】
【特許文献１】特開２０１４−０９３２４６号
【特許文献２】特開２００９−１１０７９６号
【発明の概要】
【発明が解決しようとする課題】
【０００４】
しかしながら、同じ大きさで異なる色素の複数のセルを直列接続して使用する場合、色素により、発生する動作電流（最大電力点における動作電流Ｉｐｍ）にばらつきがあり、直列接続時に大きな電力（又は出力）ロスが発生してしまうといった問題があった。また、複数のセルが同じ色素であっても濃淡が異なる場合には、発生する動作電流（最大電力点における動作電流Ｉｐｍ）にセル間でばらつきがあり、同様の問題が発生する。
【０００５】
従って、本発明の目的は、前記問題を解決することにあって、色素又は濃淡の違いにより発生する最大電力点における動作電流のばらつきを小さくして、電力（又は出力）ロスを少なくすることができる、色素増感型太陽電池及び色素増感型太陽電池セルの接続方法を提供することにある。
【課題を解決するための手段】
【０００６】
前記目的を達成するために、本発明は以下のように構成する。
【０００７】
本発明の１つの態様によれば、少なくとも２以上のセルが直列接続されるとともに、そのうちの２以上のセルは、互いに異なる色素、又は、同じ色素でかつ互いに異なる濃淡を有する、色素増感型太陽電池セルの接続方法において、
全てのセルの動作電流（最大電力点における動作電流Ｉｐｍ）のうち、動作電流が最低のセルを基準に、各セルの比率を求め、
前記求めた比率が閾値以上である比率を有するセルを選択し、
前記選択したセルを複数個の分割セルに分割して、分割セル同士を直列接続する、
色素増感型太陽電池セルの接続方法を提供する。
【０００８】
本発明の別の態様によれば、前記態様に記載の色素増感型太陽電池セルの接続方法により前記セルと前記分割セルとが互いに直列接続されて構成される色素増感型太陽電池を提供する。
【発明の効果】
【０００９】
本発明の前記態様によれば、最低の動作電流（最大電力点における動作電流Ｉｐｍ）のセルを基準として求めたセルの動作電流の比率の値が閾値以上であるとき、当該セルを選択して複数個の分割セルに分割して、前記分割セル同士を直列接続するようにしている。このような構成のため、色素又は濃淡の違いにより発生する動作電流のばらつきを小さくすることができ、電力（又は出力）ロスを少なくすることができる。
【図面の簡単な説明】
【００１０】
【図１】本発明の第１実施形態にかかる色素増感型太陽電池の概略断面側面図である。
【図２】図１の色素増感型太陽電池において一部の構成要素を取除いた状態での概略断面平面図である。
【図３】前記第１実施形態にかかる色素増感型太陽電池の１つのセルの分割前の詳細な断面側面図である。
【図４】前記第１実施形態にかかる色素増感型太陽電池の１つのセルの分割前の詳細な断面平面図である。
【図５】前記第１実施形態にかかる色素増感型太陽電池の１つのセルの分割の処理を説明するためのフローチャートである。
【図６】前記第１実施形態にかかる色素増感型太陽電池の分割前の１つのセルの酸化チタン及び色素層より下層の概略断面平面図である。
【図７】図６の分割前の１つのセルの酸化チタン及び色素層より下層の概略断面側面図である。
【図８】分割前の１つのセルの触媒電極層より上層の概略断面平面図である。
【図９】図８の分割前の１つのセルの触媒電極層より上層の概略断面側面図である。
【図１０】分割前の１つのセルの触媒電極層より下層の概略断面平面図である。
【図１１】図１０の分割前の１つのセルの概略断面側面図である。
【図１２】前記第１実施形態にかかる色素増感型太陽電池の分割後の２つの分割セルの酸化チタン及び色素層より下層の概略断面平面図である。
【図１３】図１２の分割後の２つの分割セルの酸化チタン及び色素層より下層の概略断面側面図である。
【図１４】分割後の２つの分割セルの触媒電極層より上層の概略断面平面図である。
【図１５】図１４の分割後の２つの分割セルの触媒電極層より上層の概略断面側面図である。
【図１６】分割後の２つの分割セルの触媒電極層より下層の概略断面平面図である。
【図１７】図１６の分割後の２つの分割セルの概略断面側面図である。
【図１８】第２実施形態にかかる色素増感型太陽電池の例において、分割前の状態を示す概略説明図である。
【図１９】前記第２実施形態にかかる色素増感型太陽電池の例において、分割後の状態を示す概略説明図である。
【図２０】第３実施形態にかかる色素増感型太陽電池の１つのセルの別の分割の処理を説明するためのフローチャートである。
【図２１】前記第１実施形態などにかかる色素増感型太陽電池の分割前後での効果を説明するためのグラフである。
【発明を実施するための形態】
【００１１】
本明細書及び特許請求の範囲において、動作電流とは、最大電力点における動作電流Ｉｐｍを意味する。
【００１２】
（本発明の知見）
例えば、同一面積ではあるが異なる色素の第１セルと第２セルとでは最大電力点における動作電流が異なることが、一般的に知られている。このような場合、第１セルと第２セルとを直列して接続すると、動作電流が大きい第１セルの電流は、動作電流の小さい第２セルに起因して当該第２セルの電流に律速されることになり、電力（又は出力）ロスが多くなるといった問題がある。
【００１３】
そこで、このような問題を解決する１つの方法として、小さい動作電流側のセルに注目して、小さい動作電流の第２セルの面積を、第１セルの面積よりも大きくして、第１セルと第２セルとでの動作電流の差を小さくして、電力（又は出力）ロスを少なくすることが考えられる。
【００１４】
しかしながら、このような方法では、小さい動作電流の色素を有するセルの面積を常に大きくする必要がある一方、大きい動作電流の色素を有するセルの面積は常に小さくする必要があることになる。すると、色素によりセルの面積の大きさが限定されることになり、デザインの自由度が大きく制限されることになる。
【００１５】
そこで、本発明者らは、直列接続される２以上のセルにおいて、互いに異なる色素、又は、同じ色素でかつ互いに異なる濃淡を有する複数のセル間では、動作電流（最大電力点における動作電流Ｉｐｍ）の小さい方のセルに注目するのではなく、逆に、動作電流の大きい方のセルに注目して、動作電流の大きい方のセルを複数の分割セルに分割して、分割した分割セルの動作電流の値を、動作電流の小さい方のセルの動作電流の値に近づけるようにした上で直列接続している。このように構成することにより、両者の差を小さくして、電力（又は出力）ロスを少なくするようにしたものである。すなわち、前記した「動作電流の小さい方のセル」に対して工夫を行うのではなく、「動作電流の大きい方のセル」に対して工夫を行うことにより、本発明の課題である「色素又は濃淡の違いにより発生する動作電流にばらつきを小さくして、電力（又は出力）ロスを少なくすること」を達成したものである。この解決策により、色素又は濃淡により面積の大きさが限定されることが無くなり、デザインの自由度が大きく制限されることもない。
【００１６】
（実施形態）
以下、図面を参照して本発明における実施形態を詳細に説明する。
【００１７】
（第１実施形態）
（構成）
本発明の第１実施形態にかかる色素増感型太陽電池は、少なくとも２以上のセルを有する少なくとも１つのモジュールで構成されている。図１に１つのモジュールの概略断面側面図を示し、図２に１つのモジュールの一部の構成要素を取り除いた状態での概略断面平面図を示している。図３及び図４は、複数のモジュールが直列接続された色素増感型太陽電池の概略断面側面図、及び、一部の構成要素を取り除いた状態での概略断面平面図を示している。図５は、第１実施形態にかかる色素増感型太陽電池の１つのセルの分割の処理を説明するためのフローチャートである。図６及び図７は、分割前の１つのセルの酸化チタン及び色素層１２より下層の断面平面図及び詳細な断面側面図を示している。図８及び図９は、分割前の１つのセルの触媒電極層１４より上層の断面平面図及び詳細な断面側面図を示している。図１０及び図１１は、分割前の１つのセルの触媒電極層１４より下層の断面平面図及び分割前の１つのセルの詳細な断面側面図を示している。
【００１８】
色素増感型太陽電池のモジュール１１は、最低２個のセル１，２で構成されている。モジュール１１のより具体的な例を図３及び図４に示している。図３及び図４では、１つのモジュール１１Ａは４個のセル１，２で構成され、複数のモジュール１１Ａ同士が接続線２０で接続された色素増感型太陽電池２１を示している。
【００１９】
各モジュール１１は、異なる色素、又は、同じ色素でかつ異なる濃淡を有する少なくとも２以上のセル１，２が直列接続されて構成されている。
【００２０】
各セル１，２のモジュール構成は、Ｚ型集積構造である。すなわち、各セル１，２は、それぞれ、１枚の絶縁性のガラス等の第１透明基板３上に少なくとも１個の太陽電池素子４を作製し、別の一枚の絶縁性のガラス等の第２透明基板５をさらに太陽電池素子４の上に配置している。よって、第１透明基板３と各太陽電池素子４と第２透明基板５とで、各セル１，２をそれぞれ構成している。
【００２１】
隣接するセル１，２の間には、導電性の内部接続部（インターコネクト）６を配置し、一方のセル１の第１透明基板側の第１電極７と、他方のセル２の第２透明基板側の第２電極８とを電気的に接続することにより、隣接するセル１，２同士が直列接続されるように構成している。
【００２２】
ここで、本明細書で、セルとは、太陽の光エネルギーを吸収して直接電気に変えるエネルギー変換器で、単体の構成単位を意味する。
【００２３】
各太陽電池素子４は、一例として、下から上に向けて、順に、第１電極７の一例として機能する第１透明導電層７と、酸化チタン及び色素層１２と、電界液１３と、触媒電極層１４と、第２電極８の一例として機能する第２透明導電層８とが積層されている。これらの層のうち、酸化チタン及び色素層１２から触媒電極層１４までの３つの層の側部のすべての周囲は、絶縁性の封止部１５で封止されている。封止部１５内には、集電線１６ａ，１６ｂが配置されている。
【００２４】
第１透明導電層７と第２透明導電層８とは、それぞれ、封止部１５で密閉された酸化チタン及び色素層１２から触媒電極層１４までの３つの層に対して、横方向（セル同士を互いに直列接続する方向）かつ反対方向に突出して接続端子部７ａ，８ａを構成している。例えば、図１では、第１透明導電層７が左向きに突出して接続端子部７ａを構成し、第２透明導電層８が右向きに突出して接続端子部８ａを構成している。そして、第１セル１の第２透明導電層８の接続端子部８ａと、第２セル２の第１透明導電層７の接続端子部７ａとが、導電性の内部接続部（インターコネクト）６を介して電気的に接続されている。
【００２５】
第１透明導電層７及び第２透明導電層８の各透明導電層の例としては、それぞれ、ＩＴＯ、ＦＴＯ、ＡＴＯ、ＳｎＯ２、ＺｎＯ、又は、インジウム−亜鉛複合酸化物（ＩＺＯ）などで形成することができる。
【００２６】
酸化チタン（ＴｉＯ２）及び色素層１２は、光電極となるＴｉＯ２以外の半導体として、ＭｇＯ、ＺｎＯ、ＷＯ３、Ｎｂ２Ｏ５、ＴｉＳｒＯ３、又は、ＳｎＯ２などの金属酸化物半導体が挙げられる。また、酸化チタン（ＴｉＯ２）及び色素層１２の色素の例としては、ルテニウム金属錯体色素、白金、亜鉛、パラジウムなどの金属錯体色素、メチン色素、キサンテン系色素、ポルフィリン系色素、アゾ系色素、クマリン系色素、又は、ポリエン系色素などの有機色素が挙げられる。なお、これらの色素は、２種類以上混合して用いてもよい。
【００２７】
電界液１３は、例えば、電解質中に、少なくとも１種類の可逆的に酸化／還元の状態変化を起こす物質系（酸化還元系）が溶解されたものである。酸化還元系の例としては、例えば、Ｉ−／Ｉ３−、Ｂｒ−／Ｂｒ２などのハロゲン類、キノン／ハイドロキノン、ＳＣＮ−／（ＳＣＮ）２などの擬ハロゲン類、鉄（ＩＩ）イオン／鉄（ＩＩＩ）イオン、又は、銅（Ｉ）イオン／銅（ＩＩ）イオンが挙げられるが、これらに限られるものではない。電解質は、液体電解質でもよいし、これを高分子物質中に含有させた高分子電解質（ゲル電解質）、又は、高分子固体電解質又は無機固体電解質でもよい。具体的には、電解質としては、ヨウ素（Ｉ２）と金属ヨウ化物あるいは有機ヨウ化物との組合せ、臭素（Ｂｒ２）と金属臭化物あるいは有機臭化物との組合せ、フェロシアン酸塩／フェリシアン酸塩あるいはフェロセン／フェリシニウムイオン等のイオウ化合物、ビオロゲン色素、又は、ヒドロキノン／キノンが挙げられる。金属化合物のカチオンとしては、Ｌｉ、Ｎａ、Ｋ、Ｍｇ、Ｃａ、又は、Ｃｓ等が好適であり、有機化合物のカチオンとしては、テトラアルキルアンモニウム類、ピリジニウム類、又は、イミダゾリウム類などの４級アンモニウム化合物が好適であるが、これらに限定されるものではなく、また、これらを２種類以上混合して用いてもよい。中でも、Ｉ２とＬｉＩ、ＮａＩ、イミダゾリウムヨーダイド、又は、４級アンモニウムヨーダイド等のイオン性液体とを組合せた電解質が好ましい。なお、開放電圧を向上させる目的で、４−ｔｅｒｔ−ブチルピリジン又はカルボン酸などの各種添加剤を電解質に加えていてもよい。
【００２８】
封止部１５は、それぞれ、例えば、熱可塑性樹脂であるハイミラン（登録商標）（三井・デュポン ポリケミカル社製）、エポキシ系熱硬化性樹脂、エポキシ系紫外線硬化型樹脂、又は、シリコンゴム等で形成することができる。
【００２９】
集電線１６ａ，１６ｂは、例えば、抵抗率の低い銀、銅、アルミニウム、タングステン、ニッケル、及び、クロムのうちの少なくとも１つを含む金属から選んで形成することができる。集電線１６ａ，１６ｂの形成方法としては、スパッタ法、蒸着法、メッキ法、あるいはスクリーン印刷法などが用いられる。
【００３０】
触媒電極層１４は、例えば、白金、カーボン電極、又は、導電性ポリマーなどを用いることができる。
【００３１】
なお、１８は第１透明導電層７の接続端子７ａ又は第２透明導電層８の接続端子８ａと外部の端子又は素子とを電気的に接続するための引き出し線である。
【００３２】
第１実施形態では、少なくとも２以上のセル、例えば第１セル１と第２セル２とは、一例として、構造が同じで色素のみ異なり、かつ、平面的に見て同じ面積及び同じ形状で構成されているが、これに限られるものではない。例えば、第１セル１と第２セル２とは、構造が同じで濃淡のみが異なり、かつ、平面的に見て同じ面積及び同じ形状で構成されていてもよい。また、第１セル１と第２セル２との形状は、それぞれ、一例として、正方形としているが、これに限られるものではなく、長方形、三角形、５角形、６角形、円形、又は、楕円形など、任意の形状でもかまわない。もちろん、第１セル１と第２セル２との形状又は面積は、互いに異なっていてもよい。
【００３３】
（分割処理）
このように構成されたモジュール１１において、第１セル１と第２セル２とでは色素が異なるため、発電出力の能力、例えば、最大電力点における動作電流Ｉｐｍ１，Ｉｐｍ２にばらつきが発生している。そこで、色素増感型太陽電池の設計段階において、この動作電流Ｉｐｍ１，Ｉｐｍ２のばらつきを抑制するために、第１実施形態にかかる色素増感型太陽電池セルの接続方法として、以下のように、動作電流Ｉｐｍ（又は、発電出力の能力）の大きい方のセルを２以上の整数で分割して分割セルとすることにより、モジュール１１の再構成処理を実施する。以下の分割処理について、図５のフローチャートを基に説明する。
【００３４】
まず、ステップＳ１では、モジュール１１内のすべてのセル１，２のそれぞれの発電出力の能力（又は、動作電流の値（Ｉｐｍ））を測定などにより取得する。各セル１，２の発電出力の能力を取得する方法の一例としては、疑似太陽光を照射するソーラシミュレータ（例えば、ＪＩＳ  Ｃ８９１２：結晶系太陽電池測定用ソーラシミュレータ又はＪＩＳ  Ｃ８９３３：アモルファス太陽電池測定用ソーラシミュレータ）を用いて測定することができる。ソーラシミュレータを用いて測定する具体的な実例については、後述する。
【００３５】
次いで、ステップＳ２では、モジュール１１内で最低の発電出力（又は、動作電流値Ｉｐｍ）を有するセルを基準セルとして選定し、基準セルの発電能力（又は、動作電流値Ｉｐｍ）を、例えば１であると仮定する。そして、前記基準セルの発電能力（又は、動作電流値Ｉｐｍ）が１の前記基準セルに対して、その他の残りのセルの発電出力（又は、動作電流値Ｉｐｍ）が何倍大きいかの比率（動作電流の比率）の値を算出する。ここでは、動作電流の比率を算出するための基準として、全てのセルの動作電流のうちの最低の動作電流の値を一例として使用しているが、これに限らず、詳しくは後述するが、例えば、最低から２番目の動作電流の値を基準として使用してもよい。
【００３６】
次いで、ステップＳ３では、発電出力のセルの能力において、モジュール１１内で、閾値として２倍以上の差が生じているセルを選択する。ここで、閾値を２倍以上と設定しているのは、少なくとも２倍以上であれば分割に伴う効果を発揮できるため、及び、少なくとも２倍以上であれば２以上の整数で分割出来るためである。この第１実施形態では、モジュール１１内で、２倍以上の差が生じているセルが無い場合には、モジュール１１の再構成は不要と判断して、再構成処理を終了する。なお、閾値は２倍に限定されるものではなく、２倍以下でもよいことについては、後述する。
【００３７】
次いで、ステップＳ４では、選択したセルを複数個の領域（分割セル）に分割して、分割セル同士を直列接続するように設計し直す。ここでは、例えば、図３及び図４の発電出力の能力が高い方のセルは、２倍程度高いため、発電出力の能力が高い方のセルの面積を２分割して、図１２〜図１７に示すように、２つの分割セル１−１，１−２同士を接続部２４で直列接続するように設計し直す。
【００３８】
なお、もし、発電出力の能力が高い方のセルが、低い方のセルに比べて、３倍程度高いならば、３分割し、もし４倍程度高いならば、４分割する。
【００３９】
次に、セルの分割の具体的な方法として、例えば、２分割する方法について、以下に説明する。
【００４０】
図６〜図１１の分割前の１つのセルに対して、図１２及び図１３は、分割後の２つの分割セル１−１，１−２の酸化チタン及び色素層１２−１，１２−２より下層の断面平面図及び詳細な断面側面図を示している。図１４及び図１５は、分割後の２つの分割セル１−１，１−２の触媒電極層１４−１，１４−２より上層の断面平面図及び詳細な断面側面図を示している。なお、図１２及び図１４においては、レーザ加工箇所２５を明確に示すため、太い線で図示している。図１６及び図１７は、分割後の２つの分割セル１−１，１−２の触媒電極層１４−１，１４−２より下層の断面平面図及び分割後の２つの分割セル１−１，１−２の詳細な断面側面図を示している。
【００４１】
図１２〜図１７に示すように、１つのセル１を面積的に２分割して、２つの分割セル１−１，１−２とするように、例えば図１６の中央で２分割する。より具体的には、図１２及び図１４において、レーザ加工箇所２５で示すように、レーザ加工で触媒電極層１４−１，１４−２と酸化チタン及び色素層１２−１，１２−２とをそれぞれ２分割にする。それぞれ分割された触媒電極層１４−１，１４−２と酸化チタン及び色素層１２−１，１２−２との全周囲を封止部１５−１，１５−２で互いに絶縁して封止するとともに、各分割セル１−１，１−２では、封止部１５−１，１５−２内に矩形状の集電線１６ａ−１，１６ａ−２，１６ｂ−１，１６ｂ−２が形成されるようにする。特に、中央部において、上下左右に隣接する集電線１６ａ−１，１６ａ−２及び隣接する集電線１６ｂ−１，１６ｂ−２間には、封止部１５−１，１５−２が一体的に配置されて、集電線同士が互いに絶縁されている。一方の端部、例えば、平面図である図１２、図１４、及び、図１６の上端部には、接続部２４を形成している。この接続部２４は、第２透明基板５の下面に配置された矩形状の集電線１６ｂ−１（図１７の断面図の中央部の右上側に配置された集電線１６ｂ−１）と、第１透明基板３の上面に配置された矩形状の集電線１６ａ−２（図１７の中央部の左下側に配置された集電線１６ａ−２）とを直列的に接続するものである。接続部２４は、以下のような構成となっている。第２透明基板５の下面に配置された矩形状の集電線１６ｂ−１から外向きに突出した張出部１６ｂ−３を形成し、かつ、張出部１６ｂ−３の先端に、第２透明基板５の側面に折り曲げられて張り付けられた折曲部１６ｂ−４を形成している。折曲部１６ｂ−４の近傍には、第１透明基板３の上面に配置された矩形状の集電線１６ａ−２から外向きに突出した張出部１６ａ−３を形成している。接続部２４では、第２透明基板５よりも第１透明基板３の端部が張り出すように位置をずらせて配置されている。折曲部１６ｂ−４と張出部１６ｂ−３とは９０度位相が異なっているが、近接しているため、ハンダ部１６ｅを両者に電気的に接触するように形成すれば、電気的接続を行うことができる。この結果、分割セル１−１の上側の集電線１６ｂ−１が、張出部１６ｂ−３と折曲部１６ｂ−４とハンダ部１６ｅを介して、分割セル１−２の下側の集電線１６ａ−２の張出部１６ａ−３と接続されて、分割セル１−１と分割セル１−２とが直列接続することができる。
【００４２】
この結果、図１６及び図１７に示すように、１つのセル１が直列接続された２つの分割セル１−１，１−２で構成されることになる。各分割セル１−１，１−２は、下側の第１透明基板３側から上側の第２透明基板５側に向けて、順に、第１透明導電層７−１，７−２と、酸化チタン及び色素層１２−１，１２−２と、電界液１３−１，１３−２と、触媒電極層１４−１，１４−２と、第２透明導電層８−１，８−２とで構成されている。これらは、それぞれ、分割前の第１透明導電層７と、酸化チタン及び色素層１２と、電界液１３と、触媒電極層１４と、第２透明導電層８とに対応する。
【００４３】
第１実施形態によれば、少なくとも２つ以上のセル、例えば、第１セル１の動作電流（Ｉｐｍ１）と第２セル２の動作電流（Ｉｐｍ２）とのうち最低の動作電流を基準として、他のセルの動作電流の比率を求め、その比率が閾値以上であるとき、当該セルを複数個の分割セルに分割して、分割セル同士を直列接続するようにしている。このような構成のため、色素又は濃淡の違いにより発生する動作電流のばらつきを小さくすることができ、電力（又は出力）ロスを少なくすることができる。
【００４４】
従って、第１実施形態では、一例として、分割前のセル１同士は、互いに同じ面積であり、各セル自体の大きさ及び形状（外形）は一定で、各セルの内部が分割された分割セル１−１，１−２で構成されるだけで、分割の前後では各セル全体の大きさ及び形状（外形）は変化しない。よって、デザイン性を無視して、発電能力に応じてセルの大きさ又は形状（外形）を強制的に変更する必要はなく、デザイン性を損なうことがなく、デザインの自由度が大きく制限されることもない。
【００４５】
（第２実施形態）
本発明の第２実施形態にかかる色素増感型太陽電池セルの接続方法として、３つ以上のセルが直列接続される場合に適用する例について、説明する。ここでは、セルに応じて、非分割、２分割、３分割、４分割している。
【００４６】
分割対象となるモジュールの具体的な例として、分割前の状態を図１８に示し、分割後の状態を図１９に示す。ここでは、１２個のセル３１ａ〜３１ｌが引き出し線１８で直列接続されている。各セル３１ａ〜３１ｌの四角枠内の数値は、発電能力を示し、高い数値ほど、高い発電能力を示すものとする。
【００４７】
一例として、これらを濃度で表すと、
第１番目のセル３１ａ：２番目に濃厚  ［発電能力＝３］、
第２番目のセル３１ｂ：最も薄い      ［発電能力＝１］、
第３番目のセル３１ｃ：最も薄い      ［発電能力＝１］、
第４番目のセル３１ｄ：２番目に濃厚  ［発電能力＝３］、
第５番目のセル３１ｅ：３番目に濃厚  ［発電能力＝２］、
第６番目のセル３１ｆ：最も薄い      ［発電能力＝１］、
第７番目のセル３１ｇ：最も薄い      ［発電能力＝１］、
第８番目のセル３１ｈ：最も濃い      ［発電能力＝４．４］、
第９番目のセル３１ｉ：３番目に濃厚  ［発電能力＝２］、
第１０番目のセル３１ｊ：最も薄い      ［発電能力＝１］、
第１１番目のセル３１ｋ：４番目に濃厚  ［発電能力＝１．５］、
第１２番目のセル３１ｌ：最も薄い      ［発電能力＝１］、
となる。
【００４８】
比率を求めるにあたり、基準となる発電能力を最低の１と仮定して、以下、この発電能力１を基準として、各セルの比率を順番に求めていく。  よって、第１番目のセル３１ａの発電能力は３であるのに対して、第２番目のセル３１ｂの発電能力は１であり、隣接するセル３１ａ，３１ｂの発電能力の比率は３／１＝３であり、隣接するセルで２倍以上の差が発生している。よって、隣接するセル３１ａ，３１ｂのうちの発電能力の高い方の第１番目のセル３１ａは、分割対象のセルとなり、一例として、第１番目のセル３１ａの分割数は、３／１＝３より、図１９に示すように３個の分割セル２３に分割することにする。
【００４９】
同様に、第３番目のセル３１ｃの発電能力は１であるのに対して、第４番目のセル３１ｄの発電能力は３であり、隣接するセル３１ｃ，３１ｄの発電能力の比率は３／１＝３であり、隣接するセルで２倍以上の差が発生している。よって、隣接するセル３１ｃ，３１ｄのうちの発電能力の高い方の第４番目のセル３１ｄは、分割対象のセルとなり、一例として、第４番目のセル３１ｄの分割数は、３／１＝３より、図１９に示すように３個の分割セル２３に分割することにする。第４番目のセル３１ｄの発電能力は３であり、これを３個に分割するので、分割後の各分割セル２３の発電能力は１となる。
【００５０】
また、第５番目のセル３１ｅの発電能力は２であるのに対して、第６番目のセル３１ｆ（又は、第４番目のセル３１ｄの分割セル２３）の発電能力は１であり、隣接するセル３１ｅ，３１ｆ（又は、第４番目のセル３１ｄの分割セル２３）の発電能力の比率は２／１＝２であり、隣接するセルで２倍以上の差が発生している。よって、隣接するセル３１ｅ，３１ｆ（又は、第４番目のセル３１ｄの分割セル２３）のうちの発電能力の高い方の第５番目のセル３１ｅは、分割対象のセルとなり、一例として、第５番目のセル３１ｅの分割数は、２／１＝２より、図１９に示すように２個の分割セル２３に分割することにする。第５番目のセル３１ｅの発電能力は２であり、これを２個に分割するので、分割後の各分割セル２３の発電能力は１となる。
【００５１】
また、第７番目のセル３１ｇの発電能力は１であるのに対して、第８番目のセル３１ｈの発電能力は４．４であり、隣接するセル３１ｇ，３１ｈの発電能力の比率は４．４／１＝４．４であり、隣接するセルで２倍以上の差が発生している。よって、隣接するセル３１ｇ，３１ｈのうちの発電能力の高い方の第８番目のセル３１ｈは、分割対象のセルとなり、一例として、第８番目のセル３１ｈの分割数は、４．４／１＝４．４より、図１９に示すように４個の分割セル２３に分割することにする。第８番目のセル３１ｈの発電能力は４．４であり、これを４個に分割するので、分割後の各分割セル２３の発電能力は１．１となる。
【００５２】
また、第９番目のセル３１ｉの発電能力は２であるのに対して、第１０番目のセル３１ｊの発電能力は１であり、隣接するセル３１ｉ，３１ｊの発電能力の比率は２／１＝２であり、隣接するセルで２倍以上の差が発生している。よって、隣接するセル３１ｉ，３１ｊのうちの発電能力の高い方の第９番目のセル３１ｉは、分割対象のセルとなり、一例として、第９番目のセル３１ｉの分割数は、２／１＝２より、図１９に示すように２個の分割セル２３に分割することにする。第９番目のセル３１ｉの発電能力は２であり、これを２個に分割するので、分割後の各分割セル２３の発電能力は１となる。
【００５３】
一方、前記した以外の隣接するセル同士の組み合わせにおいては、発電能力の比率は２未満となるので、分割対象とはならない。例えば、第２番目のセル３１ｂの発電能力は１であるのに対して、第３番目のセル３１ｃの発電能力も１であり、隣接するセル３１ｂ，３１ｃの発電能力の比率は１／１＝１であり、隣接するセル間で２倍以上の差が発生しておらず、分割対象とはならない。また、第４番目のセル３１ｄの分割セル２３の発電能力は１であるのに対して、第５番目のセル３１ｅの分割セル２３の発電能力も１であり、隣接する分割セル２３の発電能力の比率は１／１＝１であり、隣接する分割セル２３間で２倍以上の差が発生しておらず、分割対象とはならない。また、第８番目のセル３１ｈの分割セル２３の発電能力は１．１であるのに対して、第９番目のセル３１ｉの分割セル２３の発電能力は１であり、隣接する分割セル２３の発電能力の比率は１．１／１＝１．１であり、隣接する分割セル２３間で２倍以上の差が発生しておらず、分割対象とはならない。また、第１１番目のセル３１ｋの発電能力は１．５であるのに対して、第１０番目又は第１２番目のセル３１ｊ又は３１ｌの発電能力は１であり、隣接するセルの発電能力の比率は１．５／１＝１．５であり、隣接するセル間で２倍以上の差が発生しておらず、分割対象とはならない。
【００５４】
従って、図１９に示すように、分割処理後のモジュールでは、隣接するセル又は隣接する分割セル２３間での発電能力の比率は２倍未満となり、色素又は濃度の違いにより発生する動作電流Ｉｐｍ１，・・・，Ｉｐｍ１２のばらつきを小さくして、電力（又は出力）ロスを少なくすることができる。
【００５５】
なお、比率の求め方は、直列接続順に順番に求めたが、必ずしも順番に求める必要は無く、例えば、基準となる発電能力を決めたのち、全てのセルの比率を同時的に演算して求めるようにしてもよいことは、言うまでもない。
【００５６】
（第３実施形態）
次に、本発明の第３実施形態にかかる色素増感型太陽電池セルの接続方法では、閾値として２未満の場合も考えられることを説明する。
【００５７】
前記したステップＳ３は、１つのモジュール内の２つのセルのうち、第１セルの動作電流Ｉ１（例えば動作電流Ｉｐｍ１）と第２セルの動作電流Ｉ２（例えば動作電流Ｉｐｍ２）との比率の値が閾値以上であるときには、セルを分割することを意味している。この閾値は、先の実施形態のステップＳ３では、２倍としているが、これに限られるものではなく、例えば、１．３３倍でもよい。これについて、以下に説明する。
【００５８】
前記ステップＳ３で説明したように、複数個の分割セル１−１，１−２に分割するか否かの判断は、第１セルの動作電流Ｉ１と第２セルの動作電流Ｉ２との比率の値が閾値以上であるか否かで判断している。このような閾値を使用して分割するか否かを判断することに代えて、図２０に示すような、以下のような手順で分割するか否かを判断してもよい。
【００５９】
すなわち、第１セルの動作電流Ｉ１と第２セルの動作電流Ｉ２とのうち、第１セルの動作電流Ｉ１が第２セルの動作電流Ｉ２より低いときは、全体の動作電流は、第１セルの動作電流Ｉ１に律速される。ここで、電圧を共にＶとすると、分割していない状態での、第１セルと第２セルとを合わせた合計の出力ＰはＰ＝｛２・Ｉ１・Ｖ｝となる（図２０のステップＳ１１参照）。
【００６０】
次いで、動作電流が高い方の第２セルをｎ個の分割セルに分割したときの１個の分割セルの動作電流（Ｉ２／ｎ）と、第１セルの動作電流Ｉ１とを比較し、いずれか低い方の動作電流をＩｄとする。このとき、第１セルと第２セルのすべての分割セルとを合わせた合計の出力Ｐ’はＰ’＝｛（ｎ＋１）・Ｉｄ・Ｖ｝となる（図２０のステップＳ１２参照）。
【００６１】
このとき、分割前の合計出力Ｐ＝｛２・Ｉ１・Ｖ｝よりも、分割後の合計出力Ｐ’＝｛（ｎ＋１）・Ｉｄ・Ｖ｝が大きい場合（Ｐ＜Ｐ’）が、分割が有効になる場合である（図２０のステップＳ１３及びステップＳ１４参照）。逆に言えば、分割前の合計出力Ｐ＝｛２・Ｉ１・Ｖ｝が、分割後の合計出力Ｐ’＝｛（ｎ＋１）・Ｉｄ・Ｖ｝以上の場合（Ｐ≧Ｐ’）は、分割が有効ではない場合である（図２０のステップＳ１２及びステップＳ１５参照）。
【００６２】
具体的には、例えば、第１セルの動作電流Ｉ１と第２セルの動作電流Ｉ２との比がＩ２／Ｉ１＝１．８で、第２セルをｎ＝２で２分割すると仮定した場合、（Ｉ２／２）＜Ｉ１とすると、
分割前の合計出力Ｐは、
Ｐ＝Ｉ１・Ｖ＋Ｉ１・Ｖ
＝２・Ｉ１・Ｖ
である。
【００６３】
分割後の合計出力Ｐ’は、
Ｐ’＝２・（Ｉ２／２・Ｖ）＋Ｉ２／２・Ｖ
＝３・（Ｉ２／２）Ｖ
＝３・（１．８・Ｉ１／２）Ｖ
＝２．７・Ｉ１・Ｖ
である。
【００６４】
よって、Ｐ＜Ｐ’となり、比Ｉ２／Ｉ１が２以下であっても分割したほうが、合計出力は高くなる場合があり、分割は有効であることがわかる。
【００６５】
これを、以下に、一般的な式に書き直して説明する。
【００６６】
まず、Ｉ２＞Ｉ１であり、その比率をＩ２／Ｉ１＝ｍ、分割数をｎとすると、
分割前の合計出力Ｐは、
Ｐ＝２・Ｉ１・Ｖ
である。
【００６７】
分割後の合計出力Ｐ’は、
Ｐ’＝（ｎ＋１）（Ｉ２／ｎ・Ｖ）
＝（ｎ＋１）（ｍ／ｎ・Ｉ１・Ｖ）
である。よって、分割により合計出力が向上するためには、Ｐ＜Ｐ’となる必要があるから、
{２・Ｉ１・Ｖ}＜{（ｎ＋１）（ｍ／ｎ・Ｉ１・Ｖ）}
∴ｍ＞｛２ｎ／（ｎ＋１）｝
この式を満たす分割数ｎが求められる場合には、分割する場合のほうが、分割しない場合よりも、合計出力が高くなることになる。このため、この式が、分割すべきか否かの判断基準（閾値）となる。言い換えれば、閾値である２ｎ／（ｎ＋１）より大きい比率を有するセルを選択し、選択したセルをｎ個の分割セルに分割して、分割セル同士を直列接続すればよい。
【００６８】
以下、この式に基づいて、分割数ｎと、閾値｛２ｎ／（ｎ＋１）｝とを例示すると、以下のような表１になる。
【００６９】
【表１】
0006541174.tif 000002
【００７０】
従って、ステップＳ３の説明では、閾値を２倍以上としているが、この表１より、閾値を２倍以上に代えて、１．３３倍以上としてもよいことがわかる。言い換えれば、この第３実施形態にかかる色素増感型太陽電池セルの接続方法では、閾値を１．３３倍として先の実施形態にかかる色素増感型太陽電池セルの接続方法を行う場合と同じ結果になることを意味している。従って、この第３実施形態でも、先の実施形態と同様の作用効果を奏することができる。
【００７１】
なお、隣接するセル同士で比率を求めているが、これに限られるものではない。すなわち、隣接する２つのセル同士で比率を求めるのではなく、１つのモジュール内の複数のセルの内の任意の２つのセル同士で比率を求めるようにしてもよい。２つのセルのうち、一方を基準のセルとして、当該基準のセルと、他のセルとの比率を順に求めるようにしてもよい。
【００７２】
また、比率を求めるときの基準となるセルの発電能力は、最低の発電能力としているが、これに限られるものではない。例えば、少なくとも２以上のセルが、第１セルと第２セルと第３セルとの３個のセルで構成されている場合、３個のセルのうち最高の動作電流のセルを除くいずれかのセル（例えば、２番目に大きな動作電流のセル又は最低の動作電流のセル）の動作電流を、基準の動作電流とすればよい。そして、この基準の動作電流と、基準の動作電流にかかるセル以外のセルの動作電流との比率を求めて、求められた比率の値が閾値以上であるとき、基準の動作電流にかかるセル以外の当該セルを複数個の分割セルに分割して、分割セル同士を直列接続すればよい。
【００７３】
以下、隣接するセル同士に限らず、比率を求める例、及び、最低の発電能力のセル以外のセルを基準として比率を求める例について、それぞれ説明する。
【００７４】
ここでは、例として８個のセルが直列接続される色素増感型太陽電池を考えてみる。
【００７５】
それぞれのセルの出力（発電能力）は、表２に示す通りであるとする。なお、簡単のため、実際の数値ではなく、第１のセルの出力に対する各セルの出力比で表す。
【００７６】
【表２】
0006541174.tif 000003
【００７７】
このような場合について、隣接するセル同士で比率を求めてみると、すべて１．３倍となり、前記した閾値である１．３３倍未満の値となり、この閾値を使用する場合には、分割は不要であると考えられる。
【００７８】
しかしながら、第１セルの発電能力１．０と第８セルの発電能力６．３との比率を求めると、６．３倍となり、前記した閾値である１．３３倍以上であり、分割するほうが良いことがわかる。このように、隣接するセル同士を比較して比率を求めるのではなく、色素増感型太陽電池の全てのセルの内、例えば最低の発電能力のセルを基準として、他のセルの比率を求めて、分割の可否を検討するのがよい場合もある。その例として、表２に、「第１セルに対する比率」の欄を設けて、各比率を求めてみる。すると、第３セル〜第８セルは、全て分割するほうがよいことがわかる。
【００７９】
また、最低の発電能力のセル（この例では第１セル）を基準として比率を求めているが、これに限られないことについて、以下に説明する。例えば、第３セルを基準として、他のセルの比率を求めて、分割の可否を検討する。その例として、表２に、「第３セルに対する比率」の欄を設けて、各比率を求めてみる。すると、第５セル〜第８セルは、全て分割するほうがよいことがわかる。
【００８０】
（第４実施形態）
次に、本発明の第４実施形態にかかる色素増感型太陽電池セルの接続方法として、最適な分割数を求める方法について説明する。先の実施形態では、分割しない場合よりも、分割した方が良い場合について例示している。ただし、その場合、分割数は２以上であればよく、最適な分割数については、追求していない。この第４実施形態としては、最適な分割数を求める方法を説明することにより、最適な色素増感型太陽電池セルの接続方法を取得することができる。
【００８１】
先の閾値の式は、分割しない場合より分割する場合の方が合計出力を高めることができるか否かの判断基準であり、最適な分割数の決定とは異なる。
【００８２】
一例として、最適な分割数は、以下のように考えることができる。ただし、第２セルの動作電流Ｉ２／ｎと第１セルの動作電流Ｉ１との大小関係により、条件が分岐する。
【００８３】
（１）  分割後の第２セルの動作電流Ｉ２／ｎが第１セルの動作電流Ｉ１以上の場合（Ｉ２／ｎ≧Ｉ１）、全体の動作電流は、第１セルの動作電流Ｉ１に律速される。
【００８４】
この場合の分割後の合計出力Ｐ’と分割前の合計出力Ｐとの出力差ΔＰは、
ΔＰ＝Ｐ’−Ｐ
＝｛（ｎ＋１）・Ｉ１・Ｖ｝−｛２・Ｉ１・Ｖ｝
＝｛（ｎ−１）・Ｉ１・Ｖ｝
である。
【００８５】
（２）  分割後の第２セルの動作電流Ｉ２／ｎが第１セルの動作電流Ｉ１よりも低い場合（Ｉ２／ｎ＜Ｉ１）、全体の動作電流は、分割後の第２セルの動作電流Ｉ２／ｎに律速される。
【００８６】
この場合の分割後の合計出力Ｐ’と分割前の合計出力Ｐとの出力差ΔＰは、
ΔＰ＝Ｐ’−Ｐ
＝｛（ｎ＋１）・（Ｉ２／ｎ）・Ｖ｝−｛２・Ｉ１・Ｖ｝
＝｛（ｎ＋１）・ｍ／ｎ−２｝・Ｉ１・Ｖ
である。
【００８７】
もし、比率ｍが既知の場合には、出力差ΔＰが最大を取るときの分割数ｎの値（整数）が、最適な分割数となる。以下に、一例として、比率ｍの値が２，２．２，２．４，などのときに分割数をｎ＝２，３，４，...と順に代入して出力差ΔＰを求め、出力差ΔＰが最大を取るときの分割数ｎの値（整数）を決定すると、以下のような表３となる。
【００８８】
【表３】
0006541174.tif 000004
【００８９】
もちろん、これは、一例としての最適な分割数の求め方であり、例えば比率ｍ＝２．６のときは、分割数ｎ＝３が最適であるが、分割数ｎ＝２では分割の効果が無いことを意味するものではない。言い換えれば、分割数ｎ＝２でも分割すれば、分割しない場合よりも合計出力の増加が見込まれるので、本発明としては有効である。
【００９０】
第４実施形態によれば、（分割可否判断対象のセルの動作電流Ｉ２／基準となるセルの動作電流Ｉ１）の比率に応じて最適な分割数を求めることができて、色素又は濃淡の違いにより発生する動作電流のばらつきを小さくすることができ、電力（又は出力）ロスを少なくすることができる。この結果、色素増感型太陽電池セルの接続方法を、より効率的に実施することができる。このように最適な分割数で分割した場合、電力（又は出力）ロスを最も少なくすることができる。
【００９１】
前記第１〜第４実施形態に記載したように、１つのモジュールを構成する複数のセルのうち、どのセルを基準として比率を求めていくらの閾値と比較するかによって、分割すべきセルの個数が変わってくる。最終的には、製品の設計又は製造の費用又は手間などの観点から、当該製品に最適と思われる分割数を選択して接続するのがよい。
【００９２】
（分割処理による効果を実証するための試験）
以下に、前記した実施形態の分割処理による効果を説明するため、試験を行った。
【００９３】
試験においては、各条件につき５枚のセルを使用するとともに、ＪＩＳ  Ｃ  ８９１２：２０１１に規定された結晶系太陽電池測定用ソーラシミュレータを使用した。試験に使用した５枚のセルは、それぞれ、同じ大きさの正方形であって、緑色のセル、赤色のセル、緑色のセル、赤色のセル、緑色のセルの合計５枚のセルを直列接続した。これらのセルのそれぞれを分割前のセルを含む分割前モジュールとする。分割前のセルと同じ構成の合計５枚のセルを、もう一組用意し、そのうち、２枚の赤色のセルを縦に２つに分割して直列接続し、緑色のセル、赤色の分割セル、赤色の分割セル、緑色のセル、赤色の分割セル、赤色の分割セル、緑色のセルの合計７枚のセルを直列接続した。これらのセルを分割後のセルを含む分割後モジュールとする。この分割前のモジュールと分割後のモジュールとをそれぞれのモジュール毎に７回、最大出力を測定した。
【００９４】
具体的には、ＪＩＳ  Ｃ  ８９１２：２０１１に規定された結晶系太陽電池測定用ソーラシミュレータを使用して、分割前のモジュールと分割後のモジュールとをそれぞれのセルの発電能力を測定して評価した。このシミュレータは、キセノンランプを利用したソーラシミュレータで、太陽光パネルの公称最大出力を表すときの、ある決まった共通の測定条件［基準状態(Standard Test Condition：STC)］としての、エアマス（Air Mass）（太陽光が地上に届くまでの大気の量）１．５、２５℃、１ｋＷ／平方メートルの条件の下に、２〜３分程度、各セルを照射して、所定範囲内で電圧を変動させるときの電流の変化を測定した。そして、測定結果を基に、電圧と電流との曲線グラフを求め、さらに、その曲線グラフの縦軸と横軸と曲線グラフとで囲まれる領域内で、最大の正方形が取れる点を、最大出力点Ｐｍａｘとして求めた。この最大出力点Ｐｍａｘを各測定毎に求めて、棒グラフで示したのが図２１である。図２１の縦軸は最大出力Ｐｍａｘ、横軸は分割前のセルと分割後のセルとである。
【００９５】
図２１より、分割前のセルに対して分割後のセルの方が、全体的に３割程度、最大出力Ｐｍａｘが向上している。これは、隣接したセルの発電量に合わせる様な形でセルを分割することで、発電による電力（又は出力）ロスが少なくなり、分割後のセルの方が、太陽電池として、効率の良い発電をしていることがわかる。
【００９６】
なお、本発明は前記実施形態に限定されるものではなく、その他種々の態様で実施できる。
【００９７】
なお、前記様々な実施形態又は変形例のうちの任意の実施形態又は変形例を適宜組み合わせることにより、それぞれの有する効果を奏するようにすることができる。また、実施形態同士の組み合わせ又は実施例同士の組み合わせ又は実施形態と実施例との組み合わせが可能であると共に、異なる実施形態又は実施例の中の特徴同士の組み合わせも可能である。
【産業上の利用可能性】
【００９８】
本発明にかかる色素増感型太陽電池及び色素増感型太陽電池セルの接続方法は、色素の違いにより発生する動作電流のばらつきを小さくして、電力（又は出力）ロスを少なくすることができて、色素増感型太陽電池の構成を設計するときなどにおいて有用である。
【符号の説明】
【００９９】
１…第１セル、１−１，１−２…分割セル、２…第２セル、３…第１透明基板、４…太陽電池素子、５…第２透明基板、６…内部接続部（インターコネクト）、７…第１電極（第１透明導電層）、７ａ…接続端子部、７−１，７−２…分割第１電極（分割第１透明導電層）、８…第２電極（第２透明導電層）、８ａ…接続端子部、８−１，８−２…分割第２電極（分割第２透明導電層）、１１…モジュール、１２，１２ａ…酸化チタン及び色素層、１２−１，１２−２…分割酸化チタン及び色素層、１３，１３ａ…電界液、１３−１，１３−２…分割電界液、１４，１４ａ…触媒電極層、１４−１，１４−２…分割触媒電極層、１５…封止部、１５−１，１５−２…分割封止部、１６ａ，１６ｂ…集電線、１６ａ−１，１６ａ−２，１６ｂ−１，１６ｂ−２…分割集電線、１６ａ−３，１６ｂ−３…張出部、１６ｂ−４…折曲部、１６ｅ…ハンダ部、１８…引き出し線、２０…接続線、２１…色素増感型太陽電池、２３…分割セル、２４…接続部、２５…レーザ加工箇所、３１ａ〜３１ｌ…セル。
【図１】
0006541174.tif 000005
【図２】
0006541174.tif 000006
【図３】
0006541174.tif 000007
【図４】
0006541174.tif 000008
【図５】
0006541174.tif 000009
【図６】
0006541174.tif 000010
【図７】
0006541174.tif 000011
【図８】
0006541174.tif 000012
【図９】
0006541174.tif 000013
【図１０】
0006541174.tif 000014
【図１１】
0006541174.tif 000015
【図１２】
0006541174.tif 000016
【図１３】
0006541174.tif 000017
【図１４】
0006541174.tif 000018
【図１５】
0006541174.tif 000019
【図１６】
0006541174.tif 000020
【図１７】
0006541174.tif 000021
【図１８】
0006541174.tif 000022
【図１９】
0006541174.tif 000023
【図２０】
0006541174.tif 000024
【図２１】
0006541174.tif 000025